(57)【要約】【課題】  情報提供装置は、公営競技の出走表と、利用者がマーク及びメモ加筆して合成表示する手段を実現するプログラムと、を提供し、利用者自身の予想表をペーパーレスの作成を支援する。【解決手段】  情報提供装置１０は、利用者を認証して提供する公営競技の出走表情報と、Ｗｅｂブラウザによる画面表示された出走表にメモ加筆するプログラム２２と、利用者が作成した予想表を保管するアップロード手段２３と、手書き入力するタブレット装置２４と、予想表の画面情報を保存するファイル預かり装置１１と、によって、利用者端末２０及び利用者携帯端末２７から、自身が出走表に画面上でメモ加筆して作成した予想表を投票時に参照できる。【選択図】      図１
2006072425.tif 000002
【特許請求の範囲】
【請求項１】
情報提供装置と情報提供端末とネットワークを介して接続され、Ｗｅｂブラウザを搭載する第一及び第二の利用者端末を含む公営競技の情報提供システムにおいて、
前記第一の利用者端末は、前記情報提供装置から公営競技の出走情報を受信する手段と、前記利用者から加筆情報を受け取る手段と、前記出走情報と前記加筆情報とを合成して表示する合成表示手段と、前記加筆情報を前記情報提供装置に送信する手段とを有し、
前記第二の利用者端末は、前記情報提供装置から受信した前記加筆情報を表示する手段を有し、
前記情報提供装置は、前記出走情報を前記第一の利用者端末に送信する手段と、前記加筆情報を前記第一の利用者端末から受信する手段と、前記受信手段が受信した前記加筆情報を記憶する記憶手段と、前記記憶手段に記憶された前記加筆情報を前記第二の利用者端末に送信する送信手段と、を有することを特徴とする公営競技の情報提供システム
【請求項２】
前記加筆情報は、
ポインティングデバイスより入力されたフリーハンド曲線の情報であることを特徴とする請求項１記載の公営競技の情報提供システム。
【請求項３】
前記加筆情報は、
テキストデータの情報であることを特徴とする請求項１記載の公営競技の情報提供システム。
【請求項４】
前記第二の利用者端末は、
携帯端末であるこを特徴とする請求項１記載の公営競技の情報提供システム。
【請求項５】
前記第二の利用者端末は、
公営競技場に設置されることを特徴とする請求項１記載の公営競技の情報提供システム。
【請求項６】
前記情報提供装置は、
前記加筆情報と前記出走情報とを合成して、前記第二の利用者端末に送信することを特徴とする請求項１記載の公営競技の情報提供システム。
【請求項７】
前記情報提供装置は、
前記合成表示手段を実現するためのプログラムを前記第一の利用者端末に送信する手段を有することを特徴とする請求項１記載の公営競技の情報提供システム。
【請求項８】
前記情報提供装置の前記記憶手段は、
前記利用者の認証情報を記憶し、前記情報提供装置の前記送信手段は、前記第二の利用者端末から受信した認証情報と前記記憶手段に記憶された認証情報とを照合した後に、前記第二の利用者端末に前記加筆情報を送信することを特徴とする請求項１記載の公営競技の情報提供システム。
【請求項９】
Ｗｅｂブラウザを搭載する第一及び第二の利用者端末とネットワークを介して接続される公営競技の情報提供装置において、
前記第一の利用者端末に出走情報を送信する手段と、
利用者が前記第一の利用者端末において前記出走情報に加筆するために入力した加筆情報を、前記第一の利用者端末から受信する受信手段と、
前記受信手段が受信した前記加筆情報を記憶する記憶手段と、
前記記憶手段に記憶された前記加筆情報を前記第二の利用者端末に送信する送信手段とを有することを特徴とする公営競技の情報提供装置。
【請求項１０】
前記合成表示を実現するためのプログラムは、
表示画面内にデータ入力する位置を指定する入力位置指定手段と、
ポインティングデバイスから入力した軌跡データをベクトル列に変換する入力変換手段と、
前記ベクトル列から描画データを生成する描画データ生成手段と、
前記描画データを加筆ページに書き込む加筆ページ作成手段と、
前記加筆ページと、前記出走情報の閲覧画面ページと、を重畳した予想表ページを作成し、前記予想表ページをＷｅｂブラウザに渡すページ重畳手段と、
を有することを特徴とする請求項１記載の公営競技の情報提供システム。
【請求項１１】
前記ポインティングデバイスは、
タブレット装置であることを特徴とする請求項１記載の公営競技の情報提供システム。
【請求項１２】
情報提供装置と情報提供端末とネットワークを介して接続されたＷｅｂブラウザを搭載する第一及び第二の利用者端末を含む公営競技の情報提供システムのサービス方法において、
利用者が前記第一の利用者端末を通じて情報提供装置に会員登録要求するステップと、
前記情報提供装置が利用者を会員登録して前記第一の利用者端末に認証情報を送付するステップと、
利用者が前記第一の利用者端末から前記情報提供装置にアクセスして認証情報を送るステップと、
前記情報提供装置が利用者を認証し、前記第一の利用者端末に合成表示手段を実現するためのプログラムをダウンロードする問い合わせ画面を送るステップと、
前記第一の利用者端末が問い合わせ画面をＷｅｂブラウザで表示するステップと、
利用者が前記問い合わせ画面を通じて、前記プログラムのダウンロードを要求をするステップと、
前記情報提供装置が前記プログラムを前記第一の利用者端末にダウンロードするステップと、
前記第一の利用者端末が前記プログラムをＷｅｂブラウザに組み込むステップと、
前記第一の利用者端末からＷｅｂブラウザによって閲覧する公営競技の出走情報の閲覧画面を表示するステップと、
利用者がポインティングデバイスを用い、前記プログラムを介して前記閲覧画面にマーク及びメモを加筆するステップと、
前記第一の利用者端末に出走情報の閲覧画面ページにマーク及びメモを加筆した加筆ページを重畳した予想表ページを表示するステップと、
前記第一の利用者端末が前記予想表ページをファイル装置に保持するステップと、
を含むことを特徴とする公営競技の情報提供システムの予想表作成サービス方法。
【請求項１３】
情報提供装置と情報提供端末とネットワークを介して接続されたＷｅｂブラウザを搭載する第一及び第二の利用者端末を含む公営競技の情報提供システムのサービス方法において、
利用者が前記第一の利用者端末に出走情報の閲覧画面にマーク及びメモを加筆した加筆ページを重畳した予想表ページを表示するステップと、
前記予想表ページを前記情報提供装置に送信するステップと、
前記情報提供装置がファイル預かり装置に前記予想表ページを保管するステップと、
利用者が第二の利用者端末によって前記情報提供装置にアクセスし、認証情報を送るステップと、
前記情報提供装置は認証情報によって、前記第二の利用者端末を認証するステップと、
前記第二の利用者端末からファイル預かり装置の前記予想表ページの送信を前記情報提供装置に要求するステップと、
前記情報提供装置が前記ファイル預かり装置の前記予想表ページを前記第二の利用者端末に送信するステップと、
前記第二の利用者端末が送信された予想表ページを閲覧表示するステップと、
を含むことを特徴とする公営競技の情報提供システムの予想表保管サービス方法。
【請求項１４】
前記第二の利用者端末は、
利用者が携帯する携帯情報端末であることを特徴とする請求項１３の公営競技の情報提供システムの予想表保管サービス方法。
【請求項１５】
前記第二の利用者端末は、
公営競技場に設置されることを特徴とする請求項１３の公営競技の情報提供システムの予想表保管サービス方法。
【請求項１６】
コンピュータに、
利用者が第一の利用者端末を通じて情報提供装置に会員登録要求するステップと、
前記情報提供装置が利用者を会員登録して前記第一の利用者端末に認証情報を送付するステップと、
利用者が前記第一の利用者端末から前記情報提供装置にアクセスして認証情報を送るステップと、
前記情報提供装置が利用者を認証し、前記第一の利用者端末に合成表示を実現するためのプログラムのダウンロードを要求する問い合わせ画面を送るステップと、
前記第一の利用者端末が問い合わせ画面をＷｅｂブラウザで表示するステップと、
利用者が前記問い合わせ画面を通じて、前記プログラムのダウンロードを要求するステップと、
前記情報提供装置が前記プログラムを前記第一の利用者端末にダウンロードするステップと、
前記第一の利用者端末が前記プログラムをＷｅｂブラウザに組み込むステップと、
前記第一の利用者端末からＷｅｂブラウザによって閲覧する公営競技の出走情報の閲覧画面を表示するステップと、
利用者がポインティングデバイスを用い、前記プログラムを介して前記閲覧画面にマーク及びメモを加筆するステップと、
前記第一の利用者端末に出走情報の閲覧画面ページにマーク及びメモを加筆した加筆ページを重畳した予想表ページを表示するステップと、
前記第一の利用者端末が前記予想表ページをファイル装置に保持するステップと、
を実行させるプログラム。
【請求項１７】
コンピュータに、
利用者が前記第一の利用者端末に出走情報の閲覧画面にマーク及びメモを加筆した加筆ページを重畳した予想表ページを表示するステップと、
前記予想表ページを前記情報提供装置に送信するステップと、
前記情報提供装置がファイル預かり装置に前記予想表ページを保管するステップと、
利用者が第二の利用者端末によって前記情報提供装置にアクセスし、認証情報を送るステップと、
前記情報提供装置は認証情報によって、前記第二の利用者端末を認証するステップと、
前記第二の利用者端末からファイル預かり装置の前記予想表ページの送信を前記情報提供装置に要求するステップと、
前記情報提供装置が前記ファイル預かり装置の前記予想表ページを前記第二の利用者端末に送信するステップと、
前記第二の利用者端末が送信された予想表ページを閲覧表示するステップと、
を実行させるプログラム。
【発明の詳細な説明】
【技術分野】
【０００１】
この発明は、公営競技における情報提供サービスに関し、特に出走情報にマーク及びメモを加筆するプログラムを提供し、利用者が提供された出走情報の閲覧画面にマーク及びメモを加筆して、自身の予想表を画面上に作成して情報提供装置に保管し、利用者が利用者端末に予想表をダウンロードして閲覧できる公営競技の情報提供システム及びそのサービス方法及びそのプログラムに関する。
【背景技術】
【０００２】
公営競技の出走者や出走馬を一覧する出走情報が新聞に掲載されている。公営競技のファンは、この新聞の予想と、オッズ情報と、を照らし併せて投票する。その際、出走表などの出走情報に自身の判断やメモを加筆して考えを巡らすことは普通にすることである。
【０００３】
従来の公営競技の情報提供サービスの例には、出走者や出走馬の情報と、それのオッズ情報を提供するものがあり、利用者はその情報にしたがって判断して投票を決める例がある。この出走情報には、出走者や出走馬の撮像情報や状態を示す情報が掲載され、利用者は該情報を見て、投票対象を選択する（例えば、特許文献１）。
【０００４】
また、オッズ情報を提供する場合、投票番号に関連して投票種別の全てのオッズ情報を提供して、最も高いオッズの種別に対して投票選択することを可能にする例がある（例えば、特許文献２）。
【０００５】
【特許文献１】特開２００２−１４０４５４号公報（段落００１８乃至００２３）
【特許文献２】特開２００１−５２２２５号公報（段落００２０乃至００２１）
【発明の開示】
【発明が解決しようとする課題】
【０００６】
従来の出走情報は新聞などに掲載され、それを購入した利用者が自身の注目点や判断を出走情報にマーク及びメモを加筆することで、判断を確かめて投票を決めていた。また、情報端末を用いて、情報提供業者から情報を受ける場合でも、前述のように出走情報やオッズなどの情報の最新情報を受けることができるが、例えば、出走表には情報提供元のデータだけが記載され、表示されるので、利用者は自身の判断や注目点をその出走表に加筆する、あるいはマークすることによって自身の判断を確かめて投票するというように利用するには不便である。
【０００７】
そこで、情報提供元が提供する出走情報の画面に、利用者が自由にマーク及びメモを加筆することを可能にすることで、画面表示の出走情報を利用者個人の予想情報や予想表にして、出走情報のペーパレス化を図る。このＷｅｂブラウザの閲覧画面に利用者が自由にマーク及びメモ加筆する手段は、情報提供装置からダウンロードできる合成表示手段を実現するためのプログラムを用いることができる。
【０００８】
この発明の目的は、情報提供装置から提供を受けた、閲覧画面の出走情報に、利用者がメモを加筆する、あるいはマークするなど、重畳する合成表示手段を実現するためのプログラムを提供することにより、利用者個人の予想表を作成することにある。
【０００９】
更に、他の目的は、情報提供装置に利用者個人の予想表を預けて、競技場で携帯端末に該予想表を読み出して投票を検討する判断データにすることにある。
【００１０】
更に、他の目的は、情報提供装置がＷｅｂブラウザに合成表示手段を実現するためのプログラムを提供することによって利用者の利便を向上させて会員獲得を図り、情報提供を有料化するビジネスモデルを構築することにある。
【課題を解決するための手段】
【００１１】
そのため、この発明の、情報提供装置と情報提供端末とネットワークを介して接続され、Ｗｅｂブラウザを搭載する第一及び第二の利用者端末を含む公営競技の情報提供システムにおいて、前記第一の利用者端末は、前記情報提供装置から公営競技の出走情報を受信する手段と、前記利用者から加筆情報を受け取る手段と、前記出走情報と前記加筆情報とを合成して表示する合成表示手段と、前記加筆情報を前記情報提供装置に送信する手段とを有し、前記第二の利用者端末は、前記情報提供装置から受信した前記加筆情報を表示する手段を有し、前記情報提供装置は、前記出走情報を前記第一の利用者端末に送信する手段と、前記加筆情報を前記第一の利用者端末から受信する手段と、前記受信手段が受信した前記加筆情報を記憶する記憶手段と、前記記憶手段に記憶された前記加筆情報を前記第二の利用者端末に送信する送信手段と、を有することを特徴とする。
【００１２】
更に、前記加筆情報は、ポインティングデバイスより入力されたフリーハンド曲線の情報であることを特徴とする。
【００１３】
更に、前記加筆情報は、テキストデータの情報であることを特徴とする。
【００１４】
更に、前記第二の利用者端末は、携帯端末であるこを特徴とする。
【００１５】
更に、前記第二の利用者端末は、公営競技場に設置されることを特徴とする。
【００１６】
更に、前記情報提供装置は、記加筆情報と前記出走情報とを合成して、前記第二の利用者端末に送信することを特徴とする。
【００１７】
更に、前記情報提供装置は、前記合成表示手段を実現するためのプログラムを前記第一の利用者端末に送信する手段を有することを特徴とする。
【００１８】
更に、前記情報提供装置の前記記憶手段は、前記利用者の認証情報を記憶し、前記情報提供装置の前記送信手段は、前記第二の利用者端末から受信した認証情報と前記記憶手段に記憶された認証情報とを照合した後に、前記第二の利用者端末に前記加筆情報を送信することを特徴とする。
【００１９】
更に、Ｗｅｂブラウザを搭載する第一及び第二の利用者端末とネットワークを介して接続される公営競技の情報提供装置において、前記第一の利用者端末に出走情報を送信する手段と、利用者が前記第一の利用者端末において前記出走情報に加筆するために入力した加筆情報を、前記第一の利用者端末から受信する受信手段と、前記受信手段が受信した前記加筆情報を記憶する記憶手段と、前記記憶手段に記憶された前記加筆情報を前記第二の利用者端末に送信する送信手段とを有することを特徴とする。
【００２０】
更に、前記合成表示を実現するためのプログラムは、表示画面内にデータ入力する位置を指定する入力位置指定手段と、ポインティングデバイスから入力した軌跡データをベクトル列に変換する入力変換手段と、前記ベクトル列から描画データを生成する描画データ生成手段と、前記描画データを加筆ページに書き込む加筆ページ作成手段と、前記加筆ページと、前記出走情報の閲覧画面ページと、を重畳した予想表ページを作成し、前記予想表ページをＷｅｂブラウザに渡すページ重畳手段と、を有することを特徴とする。
【００２１】
更に、前記ポインティングデバイスは、タブレット装置であることを特徴とする。
【発明の効果】
【００２２】
この発明の効果は、会員利用者が画面表示されている出走情報を紙媒体と同等の利便性・機能性を持って、完全なぺーパーレスで扱える予想表作成サービスを提供して、利便性を向上することにある。その理由は、情報提供装置から会員に出走情報とＷｅｂブラウザの閲覧画面にマークやメモを加筆するプログラムを提供して、会員の利用者が画面上で出走情報にマークやメモを加筆して、自身の予想表を作成し、かつ保存でき、それを競技場で携帯端末から読み出すことができるからである。
【発明を実施するための最良の形態】
【００２３】
この発明を実施するための最良の形態について図面を参照して説明する。実施例の公営競技の情報提供システム１の構成を示す図１を参照すると、会員に対して公営競技情報並びに閲覧画面にマークやメモを加筆するプログラムを提供する情報提供装置１０と、利用者が作成した予想表を情報提供装置１０で保管するファイル預かり装置１１と、利用者が使用するＷｅｂブラウザを搭載する利用者端末２０と、利用者の利用者携帯端末２６と、競技場に設置されて、情報提供装置１０にアクセスできる利用者端末２８と、利用者携帯端末２６を無線接続する中継所２７と、情報提供装置１０、利用者端末２０及び利用者端末２８並びに中継所２７を接続するネットワーク３０と、を備える。
【００２４】
利用者端末２０の構成を示す図２を参照すると、インターネットにおける閲覧ソフトであるＷｅｂブラウザ２１と、Ｗｅｂブラウザ２１が入手した閲覧情報を画面表示する表示画面２１１と、情報提供装置１０からダウンロードされて、Ｗｅｂブラウザ２１に組み込まれ、表示画面にマーク及びメモを加筆する合成表示手段を実現するためのプログラム２２と、表示画面２１１の表示ページを情報提供装置１０にアップロードして保管するアップロード手段２３と、プログラム２２にフリーハンドの軌跡データを入力するタブレット装置２４と、表示画面２１上に作成された予想表ページを保存するファイル装置２５と、を備える。
【００２５】
プログラム手段２２の構成を示す図３を参照すると、表示画面２１１で、表示データが重なって隠されることを避けるため、画面内の位置を指定する入力位置指定手段２２１と、タブレット装置２４から入力される軌跡データを短ベクトル列に変換するタブレット入力データ変換手段２２２と、短ベクトル列によって描画データを作成する描画データ生成部２２３と、描画データ生成部２２３による描画データを加筆ページに書き込む加筆ページ作成手段２２４と、加筆したマークやメモの表示データが書き込まれている加筆ページをＷｅｂブラウザの出走表の閲覧画面ページに重畳した予想表ページを作成する重畳ページ作成手段２２５と、を有し、Ｗｅｂブラウザが表示画面２１１に予想表ページの閲覧画面を表示する。
【００２６】
上述の重畳ページ作成を説明する図４を参照すると、図４（ａ）に閲覧する出走情報の出走表が書き込まれた閲覧情報ページ２１１１を示す。出走表２１１１１は、情報提供装置２０からＷｅｂブラウザ２１によって、加筆するエリアを空白にしたレイアウトで閲覧画面ページ２１１１に書き込まれる。図４（ｂ）を参照すると、加筆ページは、閲覧情報ページ２１１１の出走表２１１１１のエリアを除いた部分を加筆書込み可能にし、タブレット装置２３４で手書きされたマークやメモや引き出し線が加筆でき、加筆ページ２１１２に書き込まれてる。図４（ｃ）を参照すると、閲覧情報ページ２１１１と加筆ページ２１１２とを重畳して一つの表示ページに合成した予想表ページ２１１３を重畳ページ作成手段２２５によって作成する。閲覧情報ページ２１１１と、加筆ページ２１１２と、は表示データがメモリ上にそれぞれ記録されて、記録位置の重なりがないため、二つのページの表示データを一つのページに書き移すことによって、重畳ページである予想表ページ２１１３が作成できる。
【００２７】
この利用者端末２０の各部を機能的に説明すると、プログラム２２と、アップロード手段２３と、Ｗｅｂブラウザ２１と、は利用者端末２０に搭載されて動作するが、プログラム２２は情報提供装置１０からネットワーク３０を経由して、利用者端末２０へダウンロード及びインストールされる。同じく、「出走表」の表示画面２１１は情報提供装置１０から提供され、Ｗｅｂブラウザ２１の閲覧画面に表示される。
【００２８】
利用者端末２０は、パーソナルコンピュータ等の情報処理装置であり、搭載しているＷｅｂブラウザ２１が、情報提供装置１０が提供している出走情報の「出走表」を閲覧画面で表示し、プログラム２２及びアップロード手段２３を動作させる。
【００２９】
プログラム２２は、クライアントアプリケーションプログラムであり、「出走表」情報の表示画面２１１に対して、文字フォントの変更やアンダーライン、マーク、メモ加筆といった利用者の自由にマークやメモを加筆することを可能にする機能を備え、Ｗｅｂブラウザ２１から起動されて表示画面２１１上に作用して、標準のＷｅｂブラウザが提供していない機能を実現する。
【００３０】
ネットワーク３０はインターネットのためのもので、利用者が利用者端末２０あるいは利用者携帯端末２６または利用者端末２８から情報提供装置１０にアクセスする通信網で、無線の中継所２７を接続している。
【００３１】
情報提供装置１０は、サーバなどの情報処理装置であり、情報提供業者が各公営競技の「出走表」やオッズ情報などの情報提供を行う機能を備えている。更に、会員登録したアクセス元を認証し、会員が競技場で利用者携帯端末２６または利用者端末２８を用いて、利用者が作成した予想表を参照するためのファイル保管サービスを提供する。
【００３２】
利用者携帯端末２６及び利用者端末２８は、情報提供装置１０にアクセスして、保管されている利用者の予想表を閲覧する情報端末である。
【００３３】
次に、この実施の形態における予想表作成サービスの手順について図面を参照して説明する。図５を参照すると、利用者が利用者端末２０を通じて情報提供装置１０にアクセスして、会員登録を要求する（図５のステップ４１）。情報提供装置１０は、利用者を会員登録し、要すれば会費決済の口座登録を行い、ＩＤ及びパスワードの認証情報を送付する（ステップ４２）。利用者は利用者端末２０を用いて、インターネットで公営競技の情報を入手するため、情報提供装置１０にアクセスして、認証情報を入力する（ステップ４３）。情報提供装置１０は、利用者を認証後、提供サービスの問い合わせ画面を送付する（ステップ４３）。利用者端末１０は、Ｗｅｂブラウザによって該問い合わせ画面を表示する（ステップ４５）。
【００３４】
利用者は、該画面から情報提供装置１０に合成表示手段を実現するためのプログラム２２をダウンロード要求する（ステップ４６）。情報提供装置１０は、利用者端末２０にプログラム２２をダウンロードする（ステップ４７）。利用者端末２０は、Ｗｅｂブラウザ２１にプログラム２２をＷｅｂブラウザに組み込み（ステップ４８）、閲覧した「出走表」の表示画面２１１を表示する（ステップ４９）。利用者は、プログラム２２を起動する（ステップ５０）。利用者は、プログラム２２を用いて、「出走表」にマークやアンダーラインやメモを加筆する（ステップ５１）。Ｗｅｂブラウザ２１は、マークやアンダーラインやメモを加筆した「出走表」を表示する（ステップ５２）。利用者端末２０は、マークやアンダーラインやメモを加筆した「出走表」をファイル装置２５に保存する（ステップ５４）。
【００３５】
上述の説明によれば、利用者は、閲覧する出走情報を基に、自身の検討を加えた予想表を作成して保管することができる。
【００３６】
次に、この実施の形態における予想表保管サービス方法の手順を示す図６を参照すると、利用者端末２０に利用者が出走表の閲覧画面にマークやメモを加筆した利用者個人の予想表を表示する（図６のステップ６１）。利用者は該予想表の画面情報を情報提供装置１０にアップロードする（ステップ６２）。情報提供装置１０は該画面情報をファイル預かり装置１１に保管する（ステップ６３）。利用者が利用者携帯端末２７を通じて情報提供装置１０にアクセスし、認証情報を送付する（ステップ６４）。情報提供装置１０は、該アクセスに対して認証の応答をする（ステップ６５）。利用者は、利用者携帯端末２７を通じて、利用者が預けた予想表のダウンロードを要求する（ステップ６６）。情報提供装置１０は、ファイル預かり装置１１から要求の予想表ページを利用者携帯端末２７にダウンロードする（ステップ６７）。利用者携帯端末２７は該予想表を表示し、利用者は自身の予想表を閲覧する（ステップ６８）。
【００３７】
利用者携帯端末２７に代わり、競技場に設置される利用者端末２８によって同様に情報提供装置１０にアクセスして、予想表を閲覧することができる。
【００３８】
上述の説明によれば、利用者は、自身が検討作成した予想表を競技場で閲覧することができる。
【００３９】
以上のサービス方法の説明において、Ｗｅｂブラウザなどのソフトウェアは、情報提供装置１０及び利用者端末２０の図示しない処置装置に接続するファイル装置に格納され、コンピュータ内にロードして実行することは説明するまでもなく明らかなことである。
【産業上の利用可能性】
【００４０】
利用者が、閲覧する情報に対して、メモやマークやアンダーラインを加筆して、自身の注目点や判定をメモとして保存する用途に使用でき、公営競技情報の予想表に適用できる。
【図面の簡単な説明】
【００４１】
【図１】公営競技の情報提供システムの構成を示す図である。
【図２】利用者端末の構成を示す図である。
【図３】図１の画面加筆アプリケーション手段の構成を示す図である。
【図４】分図（ａ）は出走表の閲覧画面ページ、分図（ｂ）はメモ加筆した加筆ページ、分図（ｃ）は重畳した予想表ページを説明する図である。
【図５】予想表作成サービス方法の手順を示すフローチャートである。
【図６】予想表保管サービス方法の手順を示すフローチャートである。
【符号の説明】
【００４２】
１    公営競技の情報提供システム
１０    情報提供装置
１１    ファイル預かり装置
２０    利用者端末
２１    Ｗｅｂブラウザ
２２    プログラム
２３    アップロード手段
２４    タブレット装置
２５    ファイル装置
２６    利用者携帯端末
２７    中継所
２８    利用者端末
３０    ネットワーク
【図１】
2006072425.tif 000003
【図２】
2006072425.tif 000004
【図３】
2006072425.tif 000005
【図４】
2006072425.tif 000006
【図５】
2006072425.tif 000007
【図６】
2006072425.tif 000008